(57)【要約】 【課題】  表示形態が類似する予め定める情報を迅速かつ確実に認識させることができ、使用者に対する利便性を向上することができる情報処理装置を提供する。【解決手段】  キー入力部１４に、予め定める画像、たとえばメールメニュー画像４２を表示部２４の表示画面の所定の表示領域に表示させるための指令が入力されると、第１描画テーブルに基づいて、メールメニュー画像４２の描画の向きが決定され、予め定める時間にわたって、決定された描画の向きに、表示部２４の表示画面に表示されている画像からメールメニュー画像４２に表示状態が変化するように、制御部１８によって制御される。【選択図】      図１
2005309254.tif 000002
【特許請求の範囲】
【請求項１】
予め定める画像を表示する表示手段と、
予め定める画像を表示手段に表示させるための指令を入力する表示指令入力手段と、
表示指令入力手段によって入力される指令に基づいて、表示手段に表示されている画像を新たな画像に表示状態を変化させる制御手段とを含み、
制御手段は、予め定める時間にわたって、前記新たに表示されるべき画像の予め定める種類に応じて、所定の表示領域の変化開始位置および方向を異ならせて、前記表示されている画像から新たな画像に表示状態が変化するように、表示手段を制御することを特徴とする情報処理装置。
【請求項２】
前記予め定める種類は、新たに表示されるべき画像の共通する表示形態によって分けられていることを特徴とする請求項１記載の情報処理装置。
【請求項３】
前記表示手段の表示領域は、前記表示指令入力手段によって入力された指令に応答して切換えられる切換表示領域であることを特徴とする請求項１記載の情報処理装置。
【請求項４】
前記新たに表示されるべき画像が、変化開始位置から表示領域全体に表示されるまでの変化速度を設定する変化速度設定手段をさらに含み、
前記制御手段は、変化速度設定手段によって設定された変化速度で、表示手段に表示されている画像を新たな画像に表示状態を変化させることを特徴とする請求項１〜３のいずれか１つに記載の情報処理装置。
【発明の詳細な説明】
【技術分野】
【０００１】
本発明は、表示画面に表示されている画像を新たな画像に表示状態を変化させるときに好適に用いられる情報処理装置に関する。
【背景技術】
【０００２】
従来の技術の携帯電話機および携帯情報端末（Personal Digital Assistance；略称：ＰＤＡ）などの情報処理装置では、たとえば使用者によって入力される所定の動作モードを実行する指令に基づいて、メモリに記憶されている所定の動作モードに関する所定のデータ項目をメニュー画面に一覧表示し、使用者によって、一覧表示されるデータ項目の中から所望のデータ項目が選択され、選択されたデータ項目に関する詳細内容を表示する指令が入力されると、使用者が選択したデータ項目に関する詳細内容を表示するように構成される。また、メモリに記憶されている所定のデータ項目の数が多く、メニュー画面として１画面に表示しきれない場合は、メニュー画面を複数画面に分割したり、階層化したりして、表示画面を切換えることによって所定のデータ項目およびその詳細内容を表示するように構成される。
【０００３】
特許文献１に記載のマルチ画面表示装置は、表示ユニットを制御するシステムコントローラから任意の複数の表示ユニットに対して同時にトリガ信号を与えることによって、任意の複数の表示ユニットに対して同時に指定した動作を行うように構成される。また、各々の表示ユニットも表示ユニット内部の複数のフレームメモリから再生された画像信号を合成することによって表示画面の高速な切換え、ならびにワイプおよびフェードを行い、効果的な特殊再生を行うように構成される。
【０００４】
特許文献２に記載の画像表示制御装置は、第１の駒の画像から第２の駒の画像へと変化する途中を表すモーフィング画像（中間画像）を生成し、第１の駒の画像表示から第２の駒の画像表示に切換える前に、生成したモーフィング画像を表示するように構成される。
【０００５】
【特許文献１】特開平５−２１０３７１号公報
【特許文献２】特開２００３−９９７９６号公報
【発明の開示】
【発明が解決しようとする課題】
【０００６】
前述の従来の技術の情報処理装置では、使用者によって入力される所定の動作モードを実行する指令に基づいて、メモリに記憶されている所定の動作モードに関するデータ項目をメニュー画面に一覧表示するように構成されており、使用者によって入力される指令に応答して表示画面に表示される各動作モードのメニュー画面は、いずれも表示形態が類似した画面になるので、使用者は、表示画面に一覧表示されるメニュー画面を見ても、使用者自身が所望する動作モードのデータ項目を含むメニュー画面であるか否かを迅速に認識することが困難であり、誤認識するおそれがある。したがって、使用者に対する利便性が低いという問題がある。
【０００７】
また、従来の技術の情報処理装置では、使用者が、メニュー画面の中から所望のデータ項目を選択し、選択したデータ項目に関する詳細内容を表示する指令の入力操作を行うときに、たとえば通話の要求および電子メールの受信要求のいずれかを着信した場合、着信したことを表す着信情報を表示画面に表示するように構成されているけれども、通話の要求を着信したことを表す着信情報が表示される表示画面と、電子メールの受信要求を着信したことを表す着信情報が表示される表示画面とは、表示形態が類似した画面になる。したがって、使用者は、表示画面に表示される前記着信情報を見ても、通話の要求および電子メールの受信要求のいずれを着信したのかを迅速に認識することは困難であり、誤認識するおそれがある。したがって、使用者に対する利便性が低いという問題がある。
【０００８】
前述の特許文献１および特許文献２に記載の従来の技術では、使用者に、表示形態が類似した表示画面に表示される予め定める情報を迅速に認識させるための技術については、述べられていない。したがって、特許文献１および特許文献２に記載の従来の技術では、前述の問題を解決することができない。
【０００９】
本発明の目的は、表示形態が類似する予め定める情報を迅速かつ確実に認識させることができ、使用者に対する利便性を向上することができる情報処理装置を提供することである。
【課題を解決するための手段】
【００１０】
本発明は、予め定める画像を表示する表示手段と、
予め定める画像を表示手段に表示させるための指令を入力する表示指令入力手段と、
表示指令入力手段によって入力される指令に基づいて、表示手段に表示されている画像を新たな画像に表示状態を変化させる制御手段とを含み、
制御手段は、予め定める時間にわたって、前記新たに表示されるべき画像の予め定める種類に応じて、所定の表示領域の変化開始位置および方向を異ならせて、前記表示されている画像から新たな画像に表示状態が変化するように、表示手段を制御することを特徴とする情報処理装置である。
【００１１】
また本発明は、前記予め定める種類は、新たに表示されるべき画像の共通する表示形態によって分けられていることを特徴とする。
【００１２】
また本発明は、前記表示手段の表示領域は、前記表示指令入力手段によって入力された指令に応答して切換えられる切換表示領域であることを特徴とする。
【００１３】
また本発明は、前記新たに表示されるべき画像が、変化開始位置から表示領域全体に表示されるまでの変化速度を設定する変化速度設定手段をさらに含み、
前記制御手段は、変化速度設定手段によって設定された変化速度で、表示手段に表示されている画像を新たな画像に表示状態を変化させることを特徴とする。
【発明の効果】
【００１４】
本発明によれば、表示指令入力手段には、予め定める画像を表示手段に表示させるための指令が入力される。表示指令入力手段に、予め定める画像を表示手段に表示させるための指令が入力されると、この入力された指令に基づいて、表示手段は、予め定める時間にわたって、新たに表示されるべき画像の予め定める種類に応じて、所定の表示領域の変化開始位置および方向を異ならせて、表示手段に表示されている画像から新たな画像に表示状態が変化するように、制御手段によって制御される。このように、予め定める時間にわたって、入力された指令に基づいて新たに表示されるべき画像の予め定める種類に応じて、所定の表示領域の変化開始位置および方向を異ならせて、表示手段に表示されている画像から新たな画像に表示状態が変化するように構成されるので、使用者によって、新たに表示されるべき画像が誤認識されることを防ぎ、使用者に対して、新たに表示されるべき画像を迅速かつ確実に認識させることができる。換言すれば、使用者は、所定の表示領域の変化開始位置および方向を見るだけで、新たに表示されるべき画像を迅速かつ確実に把握することができる。これによって、使用者に対する利便性を向上することができる。
【００１５】
また本発明によれば、新たに表示されるべき画像の予め定める種類は、新たに表示されるべき画像の共通する表示形態によって分けられている。表示手段は、予め定める時間にわたって、前述のように新たに表示されるべき画像の共通する表示形態によって分けられている予め定める種類に応じて、所定の表示領域の変化開始位置および方向を異ならせて、表示手段に表示されている画像から新たな画像に表示状態が変化するように、制御手段によって制御される。このように、予め定める時間にわたって、新たに表示されるべき画像の共通する表示形態によって分けられている予め定める種類に応じて、所定の表示領域の変化開始位置および方向を異ならせて、表示手段に表示されている画像から新たな画像に表示状態が変化するように構成されるので、新たに表示されるべき画像の表示形態が他の画像の表示形態と類似していても、使用者によって、新たに表示されるべき画像が誤認識されることを防ぎ、使用者に対して、新たに表示されるべき画像をさらに確実に認識させることができる。換言すれば、使用者は、所定の表示領域の変化開始位置および方向を見るだけで、新たに表示されるべき画像をさらに確実に把握することができる。これによって、使用者に対する利便性を向上することができる。
【００１６】
また本発明によれば、表示手段の表示領域は、表示指令入力手段によって入力された指令に応答して切換えられる切換表示領域である。表示指令入力手段に、予め定める画像を表示手段に表示させるための指令が入力されると、この入力された指令に基づいて、表示手段は、予め定める時間にわたって、新たに表示されるべき画像の予め定める種類に応じて、切換表示領域の変化開始位置および方向を異ならせて、表示されている画像から新たな画像に表示状態が変化するように、制御手段によって制御される。このように、制御手段は、表示手段の表示領域のうち、切換表示領域に表示されている画像から新たな画像に表示状態が変化するように表示手段を制御するだけでよいので、表示画面全体に表示されている画像から新たな画像に表示状態が変化するように表示手段を制御する場合に比べて、時間的に画像の表示を変化させるときの画像処理における画像データのデータ処理量を減少させることができる。
【００１７】
また本発明によれば、変化速度設定手段には、新たに表示されるべき画像が、変化開始位置から表示領域全体に表示されるまでの変化速度が設定される。変化速度設定手段に前記変化速度が設定されると、制御手段によって、変化速度設定手段によって設定された変化速度で、表示手段に表示されている画像が新たな画像に表示状態が変化させられる。このように、変化速度設定手段によって設定された変化速度に基づいて、表示手段に表示されている画像から新たな画像に表示状態を変化させるように構成されるので、たとえば使用者にとって新たに表示されるべき画像を把握し易い前記変化速度を設定することができる。したがって、使用者に対して、新たに表示されるべき画像をさらに確実に認識させることができる。これによって、使用者に対する利便性を確実に向上することができる。
【発明を実施するための最良の形態】
【００１８】
図１は、本発明の実施の一形態である情報処理装置１の構成を示すブロック図である。図２は、情報処理装置１の外観を示す正面図である。情報処理装置１は、たとえば画像を撮像する撮像手段を備え、無線電波を介して他の通信端末装置と無線通信を行い、音声情報だけではなく、文字データおよび画像データなどを送受信することができる、いわゆるカメラ付携帯電話機である。
【００１９】
情報処理装置１は、アンテナ１１、無線部１２、通信制御部１３、キー入力部１４、キー照明部１５、音声入力部１６、音声出力部１７、制御部１８、プログラム用メモリ１９、作業用メモリ２０、データ用メモリ２１、表示用メモリ２２、表示ドライバ部２３、表示部２４、撮像部２５、照明部２６、計時部２７および開閉検出部２８を含んで構成される。
【００２０】
アンテナ１１は、無線電波を介して他の通信端末装置と無線通信を行うときに、音声データ、文字データおよび画像データなどを送受信する。アンテナ１１は、たとえば伸縮自在なロッドアンテナによって実現される。無線部１２は、受信時は、他の通信端末装置からアンテナ１１を介して受信した音声データ、文字データおよび画像データを復調し、送信時は、通信制御部１３から送られてくる音声データ、文字データおよび画像データなどを変調して増幅し、アンテナ１１を介して他の通信端末装置に送信する。
【００２１】
通信制御部１３は、無線部１２が復調した文字データおよび画像データなどの受信データを所定の通信プロトコルに基づいて制御部１８に送り、無線部１２が復調した音声データを後述する音声出力部１７に送る。無線部１２および通信制御部１３を介して受信した相手先からの文字データおよび画像データなどの受信データは、データ用メモリ２１に記憶される。また、通信制御部１３は、データ用メモリ２１に記憶される文字データおよび画像データなどの送信データ、および後述する音声入力部１６に入力される音声を音声データとして無線部１２に送る。
【００２２】
キー入力部１４は、数字情報、文字情報、および情報処理装置１への指令などの所定の情報を入力するための複数の操作入力キーを有し、操作入力キーを操作することによって、後述する制御部１８に各操作入力キーに対応した指令信号を与える。キー入力部１４は、機能キー群１４ａおよび数字キー群１４ｂを含む。
【００２３】
機能キー群１４ａは、カーソルキー３１、決定キー３２、電源キーおよび終話キーとして用いられる第１操作キー３３、ダイヤル発信、電子メールの送受信およびインターネット接続などに関する各アプリケーションプログラムを実行させるときに操作される複数のアプリケーションキー、ならびにシャッタキーを含む。カーソルキー３１は、第１カーソルキー３１ａおよび第２カーソルキー３１ｂを含んで構成される。カーソルキー３１は、後述する表示部２４に表示されるカーソルの移動を行うときに操作される。第１カーソルキー３１ａは、表示部２４に表示されるカーソルを、表示部２４の予め定める方向の一方から他方の向きに移動させるときに操作される。第２カーソルキー３１ｂは、表示部２４に表示されるカーソルを、表示部２４の予め定める方向の他方から一方の向きに移動させるときに操作される。また第１カーソルキー３１ａは、着信履歴一覧画像を表示部２４に表示するときに操作され、第２カーソルキー３１ｂは、リダイヤル一覧画像を表示部２４に表示するときに操作される。
【００２４】
決定キー３２は、所定の入力および選択を決定するときに操作される。また決定キー３２は、所定のデータ項目をメニュー画面として表示部２４に表示するときに操作される。第１操作キー３３は、情報処理装置１への電力の供給および停止の指令、ならびに無線電波を介した他の通信端末装置との無線通信の終了、つまり終話の指令を入力するときに操作される。
【００２５】
アプリケーションキーは、第２操作キー３４、第３操作キー３５、第４操作キー３６および第５操作キー３７を含む。各アプリケーションキーは、所定のアプリケーションプログラムを実行させるための指令を入力するときに操作される。第２操作キー３４は、たとえば電話帳一覧画像を表示部２４に表示するときに操作される。第３操作キー３５は、たとえば後述する撮像部２５によって画像を撮像して、撮像した画像を画像データとしてデータ用メモリ２１、または不揮発性の記録媒体であるフラッシュメモリカードに記憶させるために、後述するプログラム用メモリ１９に記憶される撮像に関するアプリケーションプログラムを実行させる指令を入力するときに操作される。前記フラッシュメモリカードは、たとえばＳＤ（Secure Digital）メモリカード、ｍｉｎｉＳＤメモリカード、コンパクトフラッシュ（登録商標）カードおよびスマートメディア（登録商標）カードによって実現される。また第３操作キー３５は、いわゆるサムネイル画像である登録画像一覧画像を表示部２４に表示するときに操作される。
【００２６】
第４操作キー３６は、たとえば電子メールの文書の作成、ならびに送信および受信した電子メールの閲覧を行うために、後述するプログラム用メモリ１９に記憶される電子メールに関するアプリケーションプログラムを実行させる指令を入力するときに操作される。換言すれば、第４操作キー３６は、メールメニュー画像を表示部２４に表示するときに操作される。第５操作キー３７は、インターネットを介して予め記憶されたＵＲＬ（
Uniform Resource Locator）に対応するウェブサイトに接続して、映画、音楽、書籍などに関連するテキストデータ、画像データおよび音声データなどのいわゆるコンテンツデータを閲覧するために、後述するプログラム用メモリ１９に記憶されるインターネットに関するアプリケーションプログラムを実行させる指令を入力するときに操作される。換言すれば、第５操作キー３７は、インターネット接続メニュー画像を表示部２４に表示するときに操作される。シャッタキーは、後述する撮像部２５で撮像されて生成される画像データをデータ用メモリ２１に記憶するための所定の指令を入力するときに操作される。
【００２７】
数字キー群１４ｂは、数字キー、文字キーおよび記号キーを含む。数字キーは、数字データを入力するときに操作される。文字キーは、文字データを入力するときに操作される。記号キーは、記号データを入力するときに操作される。
【００２８】
キー照明部１５は、キー入力部１４の背面に設置され、キー入力部１４の背面から光を照射することによって明るさを補う、いわゆるバックライトとして機能する。キー照明部１５は、たとえば発光素子である発光ダイオード（Light Emitting Diode；略称：ＬＥＤ）によって実現される。キー照明部１５は、制御部１８から制御信号が与えられ、その制御信号に基づいて点灯および消灯などを行う。キー照明部１５からキー入力部１４に光を照射することによって、情報処理装置１の周囲が暗い場合でも、キー入力部１４の各キーを見易くすることができ、視認性が向上する。キー照明部１５のＬＥＤは、点灯してから予め定める時間が経過すると、制御部１８によって消灯される構成にしてもよいし、使用者によってＬＥＤを消灯するための所定の情報がキー入力部１４によって入力されるまで点灯する構成にしてもよい。
【００２９】
音声入力部１６は、たとえばマイクロフォンによって実現される。音声入力部１６には、たとえば通話時の送話音声を入力する。音声出力部１７は、たとえばスピーカによって実現される。音声出力部１７は、たとえば通話時の受話音声、および通信制御部１３から与えられる音声データに基づく音声を発音する。
【００３０】
制御部１８は、中央演算処理装置（Central Processing Unit；略称：ＣＰＵ）を含み、後述するプログラム用メモリ１９に記憶される制御プログラムに基づいて、通信制御部１３、キー入力部１４、キー照明部１５、音声入力部１６、音声出力部１７、プログラム用メモリ１９、作業用メモリ２０、データ用メモリ２１、表示用メモリ２２、表示ドライバ部２３、表示部２４、撮像部２５、照明部２６、計時部２７および開閉検出部２８を制御する。また制御部１８は、キー入力部１４によって入力される所定の情報に応答して情報処理装置１を構成する各部位に制御信号を与えて、その動作を制御する。また制御部１９は、キー入力部１４に入力される予め定める指令に基づいて、表示部２４に表示されている画像を新たな画像に変化させる。
【００３１】
プログラム用メモリ１９は、たとえばＥＥＰＲＯＭ（Electronically Erasable and
Programmable Read Only Memory）およびフラッシュメモリ（flash memory）などの書換え可能な不揮発性メモリによって実現される。プログラム用メモリ１９には、たとえば情報処理装置１を構成する各部位を制御するための制御プログラム、複数のアプリケーションプログラムが記憶される。アプリケーションプログラムは、たとえば電話帳に関するアプリケーションプログラム、撮像に関するアプリケーションプログラム、電子メールに関するアプリケーションプログラム、およびインターネットに関するアプリケーションプログラムである。
【００３２】
作業用メモリ２０は、たとえばＲＡＭ（Random Access Memory）などの揮発性メモリによって実現される。作業用メモリ２０には、作業中のデータが一時的に記憶される。作業用メモリ２０には、たとえば作成している途中の電話帳データ、電子メールの文書データ、ならびに撮像部２５から連続的に与えられる画像データが一時的に記憶される。
【００３３】
データ用メモリ２１は、たとえばフラッシュメモリ（flash memory）などの書換え可能な不揮発性メモリによって実現される。データ用メモリ２１には、シャッタキーが押下されたとき、作業用メモリ２０に記憶されている画像データのうちの所定の画像データが記憶される。また、データ用メモリ２１には、無線部１２および通信制御部１３を介して受信した文字データおよび画像データなどの所定のデータが記憶される。また、データ用メモリ２１には、新たに描画する画像の種類と、表示部２４の表示画面に新たな画像を描画するときの描画の向きとが関連付けられた複数の描画テーブル、本実施の形態では第１〜第５描画テーブルが記憶される。
【００３４】
表示用メモリ２２は、ＶＲＡＭ（Video Random Access Memory）によって実現される。表示用メモリ２２のメモリ空間は、第１メモリ領域および第２メモリ領域を含む。第１メモリ領域には、表示部２４に表示させる所定の画像データが一時的に記憶される。第２メモリ領域には、表示部２４に表示している所定の画像データが一時的に記憶される。表示用メモリ２２の第２メモリ領域に記憶されるデータは、制御部１８の指令に従って、表示ドライバ部２３に与えられる。
【００３５】
表示ドライバ部２３は、後述する表示部２４の駆動回路であって、表示用メモリ２２の第２メモリ領域から与えられる画像データに基づいて、表示部２４の各画素電極に対して駆動電圧を印加する。これによって、表示部２４の表示画面に、表示用メモリ２２の第２メモリ領域に記憶される画像データが表す画像が表示される。
【００３６】
表示部２４は、たとえばカラー表示可能な半透過半反射型液晶表示素子によって実現され、文字ならびに静止画像および動画像などの画像を表示する。表示部２４には、たとえばプログラム用メモリ１９に記憶される所定のアプリケーションプログラムに基づく情報、予め定めるピクト、および後述する撮像部２５によって撮像された画像が表示される。ここで、「ピクト」とは、情報処理装置１の状態を簡易的に示す記号および画像である。ピクトには、情報処理装置１のバッテリの残量を示す記号、アンテナによる電波の送受信状態を示す画像、ＳＤメモリカードなどメモリカードの装着を示す画像がある。なお、表示部２４は、カラー表示または白黒表示可能な透過型液晶表示素子、反射型液晶表示素子、エレクトロルミネッセンス（Electro Luminescence；略称：ＥＬ）素子および白黒表示可能な半透過半反射型液晶表示素子のうちいずれか１つによって実現されてもよい。
【００３７】
撮像部２５は、撮像レンズと、電荷結合素子（Charge Coupled Device；略称：ＣＣＤ）イメージセンサ（以下、単に「ＣＣＤ」と表記する場合がある）およびＣＭＯＳ（
Complementary Metal-Oxide Semiconductor）イメージセンサなどの撮像素子と、カラーフィルタとを備える。撮像レンズは、被写体を撮像したとき、被写体の光像をＣＣＤ上に結像させる。ＣＣＤの受光面には、半球状のマイクロレンズを有する多数のフォトダイオードがマトリクス状に配置されている。また、ＣＣＤは、赤（略称：Ｒ），緑（略称：Ｇ），青（略称：Ｂ）の３色のカラーフィルタを備えており、被写体で反射されて撮像レンズを介して入射した光は、カラーフィルタを通してＲ，Ｇ，Ｂの３色光にされる。撮像レンズを介してＣＣＤの受光面のマイクロレンズに結像された被写体像は、各フォトダイオードによってＲ，Ｇ，Ｂの３色光の入射光量に応じた量の信号電荷に変換されて蓄積される。各フォトダイオードに蓄積された信号電荷は、信号電荷に応じた電気信号（画像信号）として出力される。
【００３８】
撮像部２５は、ＣＣＤから出力されるＲＧＢの３色光にそれぞれ対応したアナログ信号である電気信号を増幅し、増幅された前記電気信号を、アナログ／デジタル（略称：Ａ／Ｄ）変換器によって、デジタル信号に変換して画像データを生成する。
【００３９】
また、撮像部２５は、生成された画像データに対して、ホワイトバランス補正およびガンマ補正などの信号処理を施した後、信号処理を施した画像データに対して、予め定める圧縮処理を施す。本実施の形態では、ＪＰＥＧ（Joint Photographic coding Experts
Group）形式の圧縮処理を施す。圧縮処理が施された画像データは、データ用メモリ２１に記憶される。ここで、画像データを圧縮するときには、予め定める圧縮率に従って圧縮されてもよいし、使用者によって選択され、キー入力部１４が操作されて入力される圧縮率に従って圧縮されてもよい。圧縮率を変えることによって、同一の画像サイズでもファイルの容量を変えることができる。
【００４０】
照明部２６は、表示部２４の表示面の背面に設置され、表示面の背面から光を照射することによって明るさを補う、いわゆるバックライトとして機能する。照明部２６は、たとえば発光素子であるＬＥＤによって実現される。照明部２６は、制御部１８から与えられる制御信号に基づいて、点灯および消灯ならびに輝度調整などを行う。照明部２６から表示部２４に光を照射することによって、情報処理装置１の周囲が暗い場合でも、表示部２４に表示される表示内容を見易くすることができ、視認性が向上する。照明部２６のＬＥＤは、点灯してから予め定める時間が経過すると、制御部１８によって消灯される構成にしてもよいし、使用者によってＬＥＤを消灯するための所定の情報がキー入力部１４によって入力されるまで点灯する構成にしてもよい。
【００４１】
計時部２７は、たとえばリアルタイムクロック（Real Time Clock；略称：ＲＴＣ）によって実現される。計時部１８は、制御部２１、プログラム用メモリ１９およびデータ用メモリ２１の動作の基準となるシステムクロック、ならびに現在時刻などを含む計時情報を制御部１８に与える。
【００４２】
開閉検出部２８は、情報処理装置１の開閉状態、具体的には後述する第１筐体および第２筐体の折り畳み状態および展開状態を検出する。本実施の形態における展開状態とは、第１および第２筐体が相互に対向させた折り畳み状態で相互に対向する領域が外部に露出する状態であって、使用者が表示部２４を目視することができ、かつキー入力部１４を操作することができる状態である。
【００４３】
本実施の形態において、表示手段は、制御部１８、表示用メモリ２２、表示ドライバ部２３および表示部２４によって構成される。表示指令入力手段は、通信制御部１３、キー入力部１４および制御部１８によって構成される。制御手段は、制御部１８およびプログラム用メモリ１９によって構成される。変化速度設定手段は、キー入力部１４および制御部１８によって構成される。
【００４４】
情報処理装置１は、図２に示すように、比較的扁平な略直方体状の第１筐体２と第２筐体３とが、ヒンジ部４を介して角変位可能に連結されて構成される。すなわち、情報処理装置１は、第１筐体２と第２筐体３とを角変位させることによって折り畳み可能に構成される。なお、情報処理装置１の２つの筐体２，３の成す最大の角度は、第１および第２筐体２，３の形状ならびにヒンジ部４の種類などで決まり、本実施の形態では約１８０度になるように構成されている。
【００４５】
アンテナ１１は、２つの筐体２，３を折り畳んだときの外側に位置するように、第１筐体２に設けられる。表示部２４は、２つの筐体２，３を折り畳んだときの内側に位置するように、第１筐体２に設けられる。キー入力部１４は、２つの筐体２，３を折り畳んだときの内側に位置するように、第２筐体３に設けられる。音声入力部１６は、第２筐体３の内部空間で、遊端部６の中央部に設けられる。音声出力部１７は、第１筐体２の内部空間で、遊端部５の中央部に設けられる。撮像部２５は、第１筐体２の遊端部５でかつ折り畳み状態で外部に露出する領域に、外部に臨んで設けられる。シャッタキーは、第１筐体２の一側面部に設けられる。本発明の実施の他の形態では、シャッタキーは、第２筐体３の一側面部に設けられてもよいし、第３操作キー３５を兼用するようにしてもよい。前述の位置に撮像部２５を設けることによって、折り畳み状態であっても、撮像部２５によって所望の画像を撮像することができる。
【００４６】
図３は、表示部２４の表示画面に新たな画像を描画するときの描画の向きを説明するための図である。本実施の形態では、表示部２４の表示画面に表示されている画像から新たな画像に表示状態を変化させるときに操作されるキー入力部１４の機能キー群１４ａの操作入力キー、たとえば第１カーソルキー３１ａ、第２カーソルキー３１ｂ、第２操作キー３４、第３操作キー３５、第４操作キー３６および第５操作キー３７の位置と、前記表示されている画像から新たな画像に表示状態を変化させるときの表示画面の表示領域における変化開始位置とを対応させている。
【００４７】
本実施の形態において、第５操作キー３７が操作されて、新たにインターネット接続メニュー画像に表示状態が変化するときの変化開始位置は、表示画面の長手方向Ｘ一端部かつ短手方向Ｙ一端部である。第１カーソルキー３１ａが操作されて、新たに着信履歴一覧画像に表示状態が変化するときの変化開始位置は、表示画面の短手方向Ｙ一端部である。第４操作キー３６が操作されて、新たにメールメニュー画像に表示状態が変化するときの変化開始位置は、表示画面の長手方向Ｘ他端部かつ短手方向Ｙ一端部である。第３操作キー３５が操作されて、新たに登録画像一覧画像に表示状態が変化するときの変化開始位置は、表示画面の長手方向一端部かつ短手方向Ｙ他端部である。第２カーソルキー３１ｂが操作されて、新たにリダイヤル一覧画像に表示状態が変化するときの変化開始位置は、表示画面の短手方向Ｙ他端部である。第２操作キー３４が操作されて、電話帳一覧画像に表示状態が変化するときの変化開始位置は、表示画面の長手方向Ｘ他端部かつ短手方向Ｙ他端部である。
【００４８】
表１は、データ用メモリ２１に記憶される第１描画テーブルの一例である。本実施の形態では、表示画面に表示されている画像から新たな画像に表示状態を変化させるとき、新たに表示されるべき画像の種類に応じて、新たに表示されるべき画像の描画の向きを決定する。描画の向きは、制御部１８が表１に示す第１描画テーブルを参照することによって決定する。
【００４９】
【表１】
2005309254.tif 000003
【００５０】
本実施の形態において、表１に示す第１方向一方から他方への向きは、たとえば図３に示す矢符Ａ１の向き、つまり表示画面の一方の対角線方向一方から他方への向きである。表１に示す第２方向一方から他方への向きは、たとえば図３に示す矢符Ａ２の向き、つまり表示画面の短手方向Ｙ一方から他方への向きである。表１に示す第３方向一方から他方への向きは、たとえば図３に示す矢符Ａ３の向き、つまり表示画面の他方の対角線方向一方から他方への向きである。表１に示す第１方向他方から一方への向きは、たとえば図３に示す矢符Ａ６の向き、つまり表示画面の一方の対角線方向他方から一方への向きである。表１に示す第２方向他方から一方への向きは、たとえば図３に示す矢符Ａ５の向き、つまり表示画面の短手方向Ｙ他方から一方への向きである。表１に示す第３方向他方から一方への向きは、たとえば図３に示す矢符Ａ４の向き、つまり表示画面の他方の対角線方向他方から一方への向きである。
【００５１】
本実施の形態では、第５操作キー３７が操作されたとき、表示画面の長手方向Ｘ一端部かつ短手方向Ｙ一端部から、第１方向一方から他方への向き、たとえば図３に示す矢符Ａ１の向きに、表示画面に表示されている所定の画像からインターネット接続メニュー画像に表示状態が変化するようにしている。また第１カーソルキー３１ａが操作されたとき、表示画面の短手方向Ｙ一端部から、第２方向一方から他方への向き、たとえば図３に示す矢符Ａ２の向きに、表示画面に表示されている所定の画像から着信履歴画像に表示状態が変化するようにしている。また第４操作キー３６が操作されたとき、表示画面の長手方向Ｘ他端部かつ短手方向Ｙ一端部から、第３方向一方から他方への向き、たとえば図３に示す矢符Ａ３の向きに、表示画面に表示されている所定の画像からメールメニュー画像に表示状態が変化するようにしている。
【００５２】
また第３操作キー３５が操作されたとき、表示画面の長手方向Ｘ一端部かつ短手方向Ｙ他端部から、第３方向他方から一方への向き、たとえば図３に示す矢符Ａ４の向きに、表示画面に表示されている所定の画像から登録画像一覧画像に表示状態が変化するようにしている。また第２カーソルキー３１ｂが操作されたとき、表示画面の短手方向Ｙ他端部から、第２方向他方から一方への向き、たとえば図３に示す矢符Ａ５の向きに、表示画面に表示されている所定の画像からリダイヤル一覧画像に表示状態が変化するようにしている。また第２操作キー３４が操作されたとき、表示画面の長手方向Ｘ他端部かつ短手方向Ｙ端部から、第１方向他方から一方への向き、たとえば図３に示す矢符Ａ６の向きに、表示画面に表示されている所定の画像から電話帳一覧画像に表示状態が変化するようにしている。
【００５３】
図４は、待ち受け画像４１およびメールメニュー画像４２を示す図である。図５は、待ち受け画像４１からメールメニュー画像４２に表示状態が変化する過程における表示部２４に表示される画像の一例を示す図である。図４では、理解を容易にするために、第１方向他方から一方への向き、第２方向他方から一方への向き、および第３方向他方から一方への向きを表す矢符を省略している。待ち受け画像４１は、他の通信端末装置からの通信要求およびキー入力部１４からのキー入力のうちいずれか一方を待っている待機状態（以下、単に「待ち受け状態」と表記する場合がある）のときに表示部２４の表示画面に表示される。メールメニュー画像４２は、第４操作キー３６が操作されたときに表示部２４の表示画面に表示される。メールメニュー画像４２は、画像のタイトル４２ａ、項目番号４２ｂおよび項目番号４２ｂに対応するデータ項目４２ｃによって構成される。
【００５４】
本実施の形態において、たとえば表示部２４の表示画面に待ち受け画像４１が表示されている状態で、使用者によって第４操作キー３６が操作されてメールメニュー画像４２を表示する指令が入力されると、まず表１に示す第１描画テーブルに基づいて、メールメニュー画像４２の描画の向きが決定される。本実施の形態において、メールメニュー画像４２の描画の向きは、第１描画テーブルに基づいて、第３方向一方から他方への向き、つまり図４に示す矢符Ａ３の向き、詳細に述べると表示画面の他方の対角線方向一方から他方への向きに決定される。
【００５５】
第４操作キー３６が操作されて、メールメニュー画像４２の描画の向きが決定されると、予め定める時間にわたって、図５に示すように、表示画面の長手方向Ｘ他端部かつ短手方向Ｙ一端部から、第３方向一方から他方への向き、本実施の形態では図４に示す矢符Ａ３の向きに、表示画面に表示されている待ち受け画像４１からメールメニュー画像４２に表示状態が変化し、最終的にメールメニュー画像４２が表示部２４の表示画面の所定の表示領域全体に表示される。
【００５６】
図６は、待ち受け画像４１およびインターネット接続メニュー５１を示す図である。図７は、待ち受け画像４１からインターネット接続メニュー５１に表示状態が変化する過程における表示部２４に表示される画像の一例を示す図である。図７では、理解を容易にするために、第１方向他方から一方への向き、第２方向他方から一方への向き、および第３方向他方から一方への向きを表す矢符を省略している。インターネット接続メニュー画像５１は、第５操作キー３７が操作されたときに表示部２４の表示画面に表示される。インターネット接続メニュー画像５１は、画像のタイトル５１ａ、項目番号５１ｂおよび項目番号５１ｂに対応するデータ項目５１ｃによって構成される。
【００５７】
本実施の形態において、たとえば表示部２４の表示画面に待ち受け画像４１が表示されている状態で、使用者によって第５操作キー３７が操作されてインターネット接続メニュー画像５１を表示する指令が入力されると、まず表１に示す第１描画テーブルに基づいて、インターネット接続メニュー画像５１の描画の向きが決定される。本実施の形態において、インターネット接続メニュー画像５１の描画の向きは、第１描画テーブルに基づいて、第１方向一方から他方への向き、つまり図６に示す矢符Ａ１の向き、詳細に述べると表示画面の一方の対角線方向一方から他方への向きに決定される。
【００５８】
第５操作キー３７が操作されて、インターネット接続メニュー画像５１の描画の向きが決定されると、予め定める時間にわたって、図７に示すように、表示画面の長手方向Ｘ一端部かつ短手方向Ｙ一端部から、第１方向一方から他方への向き、本実施の形態では図６に示す矢符Ａ１の向きに、表示画面に表示されている待ち受け画像４１からインターネット接続メニュー画像５１に表示状態が変化し、最終的にインターネット接続メニュー画像５１が表示部２４の表示画面全体に表示される。
【００５９】
図８は、予め定める画像データを表示用メモリ２２に記憶させるときの制御部１８の処理手順を示すフローチャートである。ステップａ１では、制御部１８は、キー入力部１４によって予め定める画像、たとえばメールメニュー画像４２およびインターネット接続メニュー画像５１を表示部２４の表示画面に表示するための予め定める表示指令が与えられたか否かを判断する。ステップａ１において、制御部１８が、予め定める表示指令が与えられたと判断したときは、ステップａ２に進み、制御部１８が、予め定める表示指令が与えられていないと判断したときは、予め定める表示指令が与えられるまで待機する。
【００６０】
ステップａ２では、制御部１８は、データ用メモリ２１に記憶されている第１描画テーブルに基づいて、予め定める表示指令に従って表示部２４の表示画面に新たに表示されるべき画像、ここではメールメニュー画像４２およびインターネット接続メニュー画像５１の描画の向きを決定する。
【００６１】
ステップａ３では、制御部１８は、予め定める表示指令に従って表示部２４の表示画面に新たに表示されるべき予め定める画像を表す画像データを、表示用メモリ２２の第１メモリ領域に記憶させる。ステップａ４では、制御部１８は、ステップａ３で表示用メモリ２２の第１メモリ領域に記憶される予め定める画像データを、表示用メモリ２２の第２メモリ領域に記憶させる。
【００６２】
ステップａ５では、制御部１８は、表示部２４の表示画面に新たに表示されるべき予め定める画像を表す画像データのすべてを表示用メモリ２２の第２メモリ領域に記憶させたか否かを判断する。ステップａ５において、制御部１８が、新たに表示されるべき予め定める画像を表す画像データのすべてを表示用メモリ２２の第２メモリ領域に記憶させたと判断したときは、すべての処理手順を終了する。またステップａ５において、制御部１８が、新たに表示されるべき予め定める画像を表す画像データのすべてを表示用メモリ２２の第２メモリ領域に記憶させていないと判断したときは、ステップａ６に進む。
【００６３】
ステップａ６では、制御部１８は、所定時間、表示用メモリ２２の第１メモリ領域に記憶される予め定める画像データを、表示用メモリ２２の第２メモリ領域に記憶させる処理の進行を待機させるウエイト処理を行う。ウエイト処理における前述の処理の進行を待機させる所定時間は、キー入力部１４によって設定される変化速度、具体的には、予め定める表示指令に基づいて新たに表示されるべき画像が、変化開始位置から表示部２４の表示画面の表示領域全体に表示されるまでの変化速度に基づいて算出される。ここで、前記変化速度は、表示されている画像に対する新たに表示されるべき画像の単位時間当たりの変化の比率をいう。制御部１８は、計時部２７から取得する現在時刻を含む計時情報に基づいて、前記算出される所定時間が経過したか否かを判断する。制御部１８が、所定時間が経過したと判断した場合は、ステップａ４に戻り、前述と同様の処理を繰り返し行う。
【００６４】
このように、予め定める表示指令に基づいて新たに表示されるべき画像が、変化開始位置から表示部２４の表示画面の表示領域全体に表示されるまでの変化速度に基づいて、ウエイト処理が行われるので、たとえば使用者にとって新たに表示されるべき画像を把握し易い変化速度を設定することによって、使用者に対して、新たに表示されるべき画像をさらに確実に認識させることができ、使用者に対する利便性を確実に向上することができる。
【００６５】
前述のように本実施の形態によれば、キー入力部１４に、予め定める画像、たとえばメールメニュー画像４２を表示部２４の表示画面の所定の表示領域に表示させるための指令が入力されると、第１描画テーブルに基づいて、メールメニュー画像４２の描画の向きが決定され、予め定める時間にわたって、決定された描画の向きに、表示部２４の表示画面に表示されている画像からメールメニュー画像４２に表示状態が変化するように、制御部１８によって制御される。
【００６６】
このように、予め定める時間にわたって、入力された指令に基づいて、新たに表示されるべき画像の共通する表示形態によって分けられている予め定める種類に応じて、所定の表示領域の変化開始位置および方向を異ならせて、表示部２４の表示画面に表示されている画像から新たな画像に表示状態が変化するように構成されるので、たとえば図４に示すメールメニュー画像４２および図６に示すインターネット接続メニュー画像５１のように、画像の表示形態が類似していても、使用者によって、新たに表示されるべき画像であるメールメニュー画像４２およびインターネット接続メニュー画像５１が誤認識されることを防ぎ、使用者に対して、新たに表示されるべき画像、ここではメールメニュー画像４２およびインターネット接続メニュー画像５１を迅速かつ確実に認識させることができる。換言すれば、使用者は、所定の表示領域の変化開始位置および方向を見るだけで、新たに表示されるべき画像を迅速かつ確実に把握することができる。これによって、使用者に対する利便性を向上することができる。
【００６７】
また本実施の形態によれば、予め定める時間にわたって、入力された指令に基づいて新たに表示されるべき画像の共通する表示形態によって分けられている予め定める種類に応じて、所定の表示領域の変化開始位置および方向を異ならせて、表示部２４の表示画面に表示されている画像から新たな画像、ここではメールメニュー画像４２およびインターネット接続メニュー画像５１に表示状態が変化するように構成されるので、たとえば、表示部２４の表示画面が比較的小さい場合でも、使用者に対して、新たに表示されるべき画像、ここではメールメニュー画像４２およびインターネット接続メニュー画像５１を迅速かつ確実に認識させることができる。換言すれば、使用者は、新たに表示されるべき画像を迅速かつ確実に把握することができる。これによって、使用者に対する利便性を向上することができる。
【００６８】
図９は、メールメニュー画像４２および通話着信画像５２を示す図である。本実施の形態において、他の通信端末装置からの通信要求、たとえば通話要求を着信したときは、表示部２４の表示画面に通話着信画像５２が表示される。また他の通信端末装置からの電子メールの受信要求を着信したときは、表示部２４の表示画面にメール着信画像５２が表示される。以下の説明において、通話着信画像およびメール着信画像を示す場合、共に同一の参照符号「５２」を付す。また以下の説明において、他の通信端末装置からの通信要求を着信したときに表示部２４の表示画面に表示される画像を、単に「着信画像５２」と表記する場合がある。
【００６９】
表２は、データ用メモリ２１に記憶される第２描画テーブルの一例である。本実施の形態では、他の通信端末装置からの通信要求を着信した場合に、表示部２４の表示画面に表示されている画像から新たな画像に表示状態を変化させるとき、新たに表示されるべき画像の種類に応じて、新たに表示されるべき画像の描画の向きを決定する。描画の向きは、制御部１８が表２に示す第２描画テーブルを参照することによって決定する。
【００７０】
【表２】
2005309254.tif 000004
【００７１】
本実施の形態において、表２に示す第１方向一方から他方への向きは、たとえば図９に示す矢符Ｂ１の向き、つまり表示画面の長手方向Ｘ一方から他方への向きである。表２に示す第１方向他方から一方への向きは、たとえば図９に示す矢符Ｂ２の向き、つまり表示画面の長手方向Ｘ他方から一方への向きである。
【００７２】
本実施の形態では、たとえばメールメニュー画像４２が表示部２４の表示画面に表示されている状態で、他の通信端末装置からの通信要求、たとえば通話要求を着信したときは、メールメニュー画像４２から通話着信画像５２に表示状態が変化するようにしている。また、たとえばメールメニュー画像４２が表示部２４の表示画面に表示されている状態で、他の通信端末装置からの通信要求、たとえば電子メールの受信要求を着信したときは、メールメニュー画像４２からメール着信画像５２に表示状態が変化するようにしている。
【００７３】
本実施の形態において、メールメニュー画像４２が表示部２４の表示画面に表示されている状態で、他の通信端末装置からの通信要求、たとえば通話要求を着信したときは、まず表２に示す第２描画テーブルに基づいて、通話着信画像５２の描画の向きが決定される。本実施の形態において、通話着信画像５２の描画の向きは、第２描画テーブルに基づいて、第１方向一方から他方への向き、たとえば図９に示す矢符Ｂ１の向き、詳細に述べると、表示画面の長手方向Ｘ一方から他方への向きに決定される。
【００７４】
他の通信端末装置からの通話要求を着信したときに表示されるべき通話着信画像５２の描画の向きが決定されると、予め定める時間にわたって、たとえば表示画面の長手方向Ｘ一端部から、第１方向一方から他方への向き、本実施の形態では図９に示す矢符Ｂ１の向きに、表示画面に表示されているメールメニュー画像４２から通話着信画像５２に表示状態が変化し、最終的に通話着信画像５２が表示部２４の表示画面の所定の表示領域全体に表示される。
【００７５】
また本実施の形態において、メールメニュー画像４２が表示部２４の表示画面に表示されている状態で、他の通信端末装置からの通信要求、たとえば電子メールの受信要求を着信したときは、まず表２に示す第２描画テーブルに基づいて、メール着信画像５２の描画の向きが決定される。本実施の形態において、メール着信画像５２の描画の向きは、第２描画テーブルに基づいて、第１方向他方から一方への向き、たとえば図９に示す矢符Ｂ２の向き、詳細に述べると、表示画面の長手方向Ｘ他方から一方への向きに決定される。
【００７６】
他の通信端末装置からの電子メールの受信要求を着信したときに表示されるべきメール着信画像５２の描画の向きが決定されると、予め定める時間にわたって、たとえば表示画面の長手方向Ｘ他端部から、第１方向他方から一方への向き、本実施の形態では図９に示す矢符Ｂ２の向きに、表示画面に表示されているメールメニュー画像４２からメール着信画像５２に表示状態が変化し、最終的にメール着信画像５２が表示部２４の表示画面の所定の表示領域全体に表示される。
【００７７】
図１０は、予め定める画像データを表示用メモリ２２に記憶させるときの制御部１８の処理手順を示すフローチャートである。ステップｂ１では、制御部１８は、通信制御部１３が他の通信端末装置からの所定の通信要求、たとえば通話要求および電子メールの受信要求の着信に関する着信情報を受取ったか否かを判断する。ステップｂ１において、制御部１８が、通信制御部１３が他の通信端末装置からの所定の通信要求の着信に関する着信情報を受取ったと判断したときは、ステップｂ２に進み、制御部１８が、通信制御部１３が他の通信端末装置からの所定の通信要求の着信に関する着信情報を受取っていないと判断したときは、通信制御部１３が他の通信端末装置からの所定の通信要求に関する着信情報を受取ったと判断するまで待機する。
【００７８】
ステップｂ２では、制御部１８は、データ用メモリ２１に記憶されている第２描画テーブルに基づいて、表示部２４の表示画面に新たに表示されるべき予め定める着信画像５２の描画の向きを決定する。
【００７９】
ステップｂ３では、制御部１８は、表示部２４の表示画面に新たに表示されるべき予め定める着信画像５２を表す画像データを、表示用メモリ２２の第１メモリ領域に記憶させる。ステップｂ４では、制御部１８は、ステップｂ３で表示用メモリ２２の第１メモリ領域に記憶される予め定める着信画像５２を表す画像データを、表示用メモリ２２の第２メモリ領域に記憶させる。
【００８０】
ステップｂ５では、制御部１８は、表示部２４の表示画面に新たに表示されるべき予め定める着信画像５２を表す画像データのすべてを表示用メモリ２２の第２メモリ領域に記憶させたか否かを判断する。ステップｂ５において、制御部１８が、新たに表示されるべき予め定める画像を表す画像データのすべてを表示用メモリ２２の第２メモリ領域に記憶させたと判断したときは、すべての処理手順を終了する。またステップｂ５において、制御部１８が、新たに表示されるべき予め定める着信画像５２を表す画像データのすべてを表示用メモリ２２の第２メモリ領域に記憶させていないと判断したときは、ステップｂ６に進む。
【００８１】
ステップｂ６では、制御部１８は、所定時間、表示用メモリ２２の第１メモリ領域に記憶される予め定める着信画像５２を表す画像データを、表示用メモリ２２の第２メモリ領域に記憶させる処理の進行を待機させるウエイト処理を行う。ウエイト処理における前述の処理の進行を待機させる所定時間は、キー入力部１４によって設定される変化速度、具体的には、新たに表示されるべき着信画像５２が、変化開始位置から表示部２４の表示画面の表示領域全体に表示されるまでの変化速度に基づいて算出される。制御部１８は、計時部２７から取得する現在時刻を含む計時情報に基づいて、前記算出される所定時間が経過したか否かを判断する。制御部１８が、所定時間が経過したと判断した場合は、ステップｂ４に戻り、前述と同様の処理を繰り返し行う。
【００８２】
このように、予め定める表示指令に基づいて新たに表示されるべき画像が、変化開始位置から表示部２４の表示画面の表示領域全体に表示されるまでの変化速度に基づいて、ウエイト処理が行われるので、たとえば使用者にとって新たに表示されるべき画像を把握し易い変化速度を設定することによって、使用者に対して、新たに表示されるべき画像をさらに確実に認識させることができ、使用者に対する利便性を確実に向上することができる。
【００８３】
前述のように本実施の形態によれば、予め定める画像を表示部２４の表示画面に表示している状態で、他の通信端末装置からの通信要求を着信したときは、第２描画テーブルに基づいて、前記通信要求を着信したときに新たに表示されるべき画像の描画の向きが決定され、予め定める時間にわたって、決定された描画の向きに、表示部２４の表示画面に表示されている画像から新たな画像に表示状態が変化するように構成されるので、たとえば前述の通話着信画像５２およびメール着信画像５２のように、画像の表示形態が類似していても、使用者によって、通話着信画像５２およびメール着信画像５２が誤認識されることを防ぎ、使用者に対して、通話着信画像５２およびメール着信画像５２のいずれであるかを迅速かつ確実に認識させることができる。換言すれば、使用者は、所定の表示領域の変化開始位置および方向を見るだけで、通話着信画像５２およびメール着信画像５２のいずれであるのかを迅速かつ確実に把握することができる。これによって、使用者に対する利便性を向上することができる。
【００８４】
図１１は、メールメニュー画像４２および通話着信画像５２を示す図である。本実施の形態において、他の通信端末装置からの通信要求、たとえば通話要求を着信したときは、表示部２４の表示画面に通話着信画像５２が表示される。また他の通信端末装置からの通話要求、たとえば特定の相手である友人Ａからの通話要求を着信したときは、表示部２４の表示画面に友人Ａからの通話要求を着信したことを表す通話着信画像（以下、単に「番号通知画像」と表記する場合がある）５２が表示される。また他の通信端末装置からの通話要求、たとえば不特定の相手からの通話要求を着信したときは、表示部２４の表示画面に不特定の相手からの通話要求を着信したことを表す通話着信画像（以下、単に「番号非通知画像」と表記する場合がある）５２が表示される。以下の説明において、番号通知画像および番号非通知画像を示す場合、共に同一の参照符号「５２」を付す。
【００８５】
表３は、データ用メモリ２１に記憶される第３描画テーブルの一例である。本実施の形態では、他の通信端末装置からの通話要求を着信した場合に、表示部２４の表示画面に表示されている画像から新たな画像に表示状態を変化させるとき、新たに表示されるべき画像の種類に応じて、新たに表示されるべき画像の描画の向きを決定する。描画の向きは、制御部１８が表２に示す第３描画テーブルを参照することによって決定する。
【００８６】
【表３】
2005309254.tif 000005
【００８７】
本実施の形態において、表３に示す第１方向一方から他方への向きは、たとえば図１１に示す矢符Ｂ１の向き、つまり表示画面の長手方向Ｘ一方から他方への向きである。表３に示す第１方向他方から一方への向きは、たとえば図１１に示す矢符Ｂ２の向き、つまり表示画面の長手方向Ｘ他方から一方への向きである。
【００８８】
本実施の形態において、たとえばメールメニュー画像４２が表示部２４の表示画面に表示されている状態で、他の通信端末装置からの通話要求、たとえば友人Ａからの通話要求を着信したときは、メールメニュー画像４２から番号通知画像５２に表示状態が変化するようにしている。また、たとえばメールメニュー画像４２が表示部２４の表示画面に表示されている状態で、他の通信端末装置からの通話要求、たとえば不特定の相手からの通話要求を着信したときは、メールメニュー画像４２から番号非通知画像５２に表示状態が変化するようにしている。
【００８９】
本実施の形態において、メールメニュー画像４２が表示部２４の表示画面に表示されている状態で、他の通信端末装置からの通話要求、たとえば特定の相手、ここでは友人Ａからの通話要求を着信したときは、まず表３に示す第３描画テーブルに基づいて、番号通知画像５２の描画の向きが決定される。本実施の形態において、番号通知画像５２の描画の向きは、第３描画テーブルに基づいて、第１方向一方から他方への向き、たとえば図１１に示す矢符Ｂ１の向き、詳細に述べると、表示画面の長手方向Ｘ一方から他方への向きに決定される。
【００９０】
友人Ａからの通話要求を着信したときに表示されるべき番号通知画像５２の描画の向きが決定されると、予め定める時間にわたって、たとえば表示画面の長手方向Ｘ一端部から、第１方向一方から他方への向き、本実施の形態では図１１に示す矢符Ｂ１の向きに、表示画面に表示されているメールメニュー画像４２から番号通知画像５２に表示状態が変化し、最終的に番号通知画像５２が表示部２４の表示画面の所定の表示領域全体に表示される。
【００９１】
また本実施の形態において、メールメニュー画像４２が表示部２４の表示画面に表示されている状態で、他の通信端末装置からの通信要求、たとえば不特定の相手からの通話要求を着信したときは、まず表３に示す第３描画テーブルに基づいて、番号非通知画像５２の描画の向きが決定される。本実施の形態において、番号非通知画像５２の描画の向きは、第３描画テーブルに基づいて、第１方向他方から一方への向き、たとえば図１１に示す矢符Ｂ２の向き、詳細に述べると、表示画面の長手方向Ｘ他方から一方への向きに決定される。
【００９２】
不特定の相手からの通話要求を着信したときに表示されるべき番号非通知画像５２の描画の向きが決定されると、予め定める時間にわたって、たとえば表示画面の長手方向Ｘ他端部から、第１方向他方から一方への向き、本実施の形態では図１１に示す矢符Ｂ２の向きに、表示画面に表示されているメールメニュー画像４２から番号非通知画像５２に表示状態が変化し、最終的に番号非通知画像５２が表示部２４の表示画面の所定の表示領域全体に表示される。
【００９３】
図１２は、予め定める画像データを表示用メモリ２２に記憶させるときの制御部１８の処理手順を示すフローチャートである。ステップｃ１では、制御部１８は、通信制御部１３が他の通信端末装置からの所定の通話要求の着信に関する着信情報を受取ったか否かを判断する。ステップｃ１において、制御部１８が、通信制御部１３が他の通信端末装置からの所定の通話要求の着信に関する着信情報を受取ったと判断したときは、ステップｃ２に進み、制御部１８が、通信制御部１３が他の通信端末装置からの所定の通話要求の着信に関する着信情報を受取っていないと判断したときは、通信制御部１３が他の通信端末装置からの所定の通話要求の着信に関する着信情報を受取ったと判断するまで待機する。
【００９４】
ステップｃ２では、制御部１８は、データ用メモリ２１に記憶されている第３描画テーブルに基づいて、表示部２４の表示画面に新たに表示されるべき予め定める通話着信画像５２の描画の向きを決定する。
【００９５】
ステップｃ３では、制御部１８は、表示部２４の表示画面に新たに表示されるべき予め定める通話着信画像５２を表す画像データを、表示用メモリ２２の第１メモリ領域に記憶させる。ステップｃ４では、制御部１８は、ステップｃ３で表示用メモリ２２の第１メモリ領域に記憶される予め定める通話着信画像５２を表す画像データを、表示用メモリ２２の第２メモリ領域に記憶させる。
【００９６】
ステップｃ５では、制御部１８は、表示部２４の表示画面に新たに表示されるべき予め定める通話着信画像５２を表す画像データのすべてを表示用メモリ２２の第２メモリ領域に記憶させたか否かを判断する。ステップｃ５において、制御部１８が、新たに表示されるべき予め定める画像を表す画像データのすべてを表示用メモリ２２の第２メモリ領域に記憶させたと判断したときは、すべての処理手順を終了する。またステップｃ５において、制御部１８が、新たに表示されるべき予め定める通話着信画像５２を表す画像データのすべてを表示用メモリ２２の第２メモリ領域に記憶させていないと判断したときは、ステップｃ６に進む。
【００９７】
ステップｃ６では、制御部１８は、所定時間、表示用メモリ２２の第１メモリ領域に記憶される予め定める通話着信画像５２を表す画像データを、表示用メモリ２２の第２メモリ領域に記憶させる処理の進行を待機させるウエイト処理を行う。ウエイト処理における前述の処理の進行を待機させる所定時間は、キー入力部１４によって設定される変化速度、具体的には、新たに表示されるべき通話着信画像５２が、変化開始位置から表示部２４の表示画面の表示領域全体に表示されるまでの変化速度に基づいて算出される。制御部１８は、計時部２７から取得する現在時刻を含む計時情報に基づいて、前記算出される所定時間が経過したか否かを判断する。制御部１８が、所定時間が経過したと判断した場合は、ステップｃ４に戻り、前述と同様の処理を繰り返し行う。
【００９８】
このように、予め定める表示指令に基づいて新たに表示されるべき画像が、変化開始位置から表示部２４の表示画面の表示領域全体に表示されるまでの変化速度に基づいて、ウエイト処理が行われるので、たとえば使用者にとって新たに表示されるべき画像を把握し易い変化速度を設定することによって、使用者に対して、新たに表示されるべき画像をさらに確実に認識させることができ、使用者に対する利便性を確実に向上することができる。
【００９９】
前述のように本実施の形態によれば、予め定める画像を表示部２４の表示画面に表示している状態で、他の通信端末装置からの通話要求を着信したときは、第３描画テーブルに基づいて、前記通話要求を着信したときに新たに表示されるべき画像の描画の向きが決定され、予め定める時間にわたって、決定された描画の向きに、表示部２４の表示画面に表示されている画像から新たな画像に表示状態が変化するように構成されるので、たとえば前述の番号通知画像５２および番号非通知画像５２のように、画像の表示形態が類似していても、使用者によって、番号通知画像５２および番号非通知画像５２が誤認識されることを防ぎ、使用者に対して、番号通知画像５２および番号非通知画像５２のいずれであるかを迅速かつ確実に認識させることができる。換言すれば、使用者は、所定の表示領域の変化開始位置および方向を見るだけで、番号通知画像５２および番号非通知画像５２のいずれであるのかを迅速かつ確実に把握することができる。これによって、使用者に対する利便性を向上することができる。
【０１００】
図１３は、予め定める画像５３および着信履歴一覧画像５４を示す図である。着信履歴一覧画像５４は、特定の相手、たとえば友人Ａからの通話要求の着信履歴を表す画像（以下、単に「番号通知履歴画像」と表記する場合がある）５４ａ、および不特定の相手からの通話要求の着信履歴を表す画像（以下、単に「番号非通知履歴画像」と表記する場合がある）５４ｂを含む。着信履歴一覧画像５４は、第１カーソルキー３１ａが操作されたときに表示部２４の表示画面に表示される。
【０１０１】
表４は、データ用メモリ２１に記憶される第４描画テーブルの一例である。本実施の形態では、表示部２４の表示画面に表示されている予め定める画像５３から新たな画像に表示状態を変化させるとき、新たに表示されるべき画像の種類に応じて、新たに表示されるべき画像の描画の向きを決定する。描画の向きは、制御部１８が表４に示す第４描画テーブルを参照することによって決定する。
【０１０２】
【表４】
2005309254.tif 000006
【０１０３】
本実施の形態において、表４に示す第１方向一方から他方への向きは、たとえば図１３に示す矢符ｃ１の向き、つまり表示画面の短手方向Ｙ一方から他方への向きである。表３に示す第１方向他方から一方への向きは、たとえば図１３に示す矢符ｃ２の向き、つまり表示画面の短手方向Ｙ他方から一方への向きである。
【０１０４】
本実施の形態において、予め定める画像５３が表示部２４の表示画面に表示されている状態で、着信履歴一覧画像５４を表示する場合、番号通知履歴画像５４ａと番号非通知履歴画像５４ｂとで、変化開始位置および方向を異ならせて、予め定める画像５３から着信履歴一覧画像５４に表示状態が変化するようにしている。
【０１０５】
本実施の形態において、予め定める画像５３が表示部２４の表示画面に表示されている状態で、着信履歴一覧画像５４の番号通知履歴画像５４ａを新たに表示する場合は、まず表４に示す第４描画テーブルに基づいて、番号通知履歴画像５４ａの描画の向きが決定される。本実施の形態において、番号通知履歴画像５４ａの描画の向きは、第４描画テーブルに基づいて、第１方向他方から一方への向き、たとえば図１３に示す矢符ｃ２の向き、詳細に述べると、表示画面の短手方向Ｙ他方から一方への向きに決定される。
【０１０６】
また、予め定める画像５３が表示部２４の表示画面に表示されている状態で、着信履歴一覧画像５４の番号非通知履歴画像５４ｂを新たに表示する場合は、まず表４に示す第４描画テーブルに基づいて、番号非通知履歴画像５４ｂの描画の向きが決定される。本実施の形態において、番号非通知履歴画像５４ｂの描画の向きは、第４描画テーブルに基づいて、第１方向一方から他方への向き、たとえば図１３に示す矢符ｃ１の向き、詳細に述べると、表示画面の短手方向Ｙ一方から他方への向きに決定される。
【０１０７】
新たに表示されるべき番号通知履歴画像５４ａおよび番号非通知履歴画像５４ｂの描画の向きが決定されると、まず予め定める時間にわたって、たとえば表示画面の短手方向Ｙ他端部から、第１方向他方から一方への向き、本実施の形態では図１３に示す矢符ｃ２の向きに、表示画面に表示されている予め定める画像５３から番号通知履歴画像５４ａに表示状態が変化し、次に予め定める時間にわたって、たとえば表示画面の短手方向Ｙ一端部から、第１方向一方から他方への向き、本実施の形態では図１３に示す矢符ｃ１の向きに、番号通知履歴画像５４ａに加えて番号非通知履歴画像５４ｂが表示される状態に表示状態が変化して、最終的に着信履歴一覧画像５４が表示部２４の表示画面の所定の表示領域全体に表示される。
【０１０８】
本実施の形態では、予め定める画像５３から着信履歴一覧画像５４に表示状態を変化させるとき、番号通知履歴画像５４ａを表示させてから番号非通知履歴画像５４ｂを表示させるようにしているが、本発明の他の実施の形態では、たとえば同時に番号通知履歴画像５４ａと番号非通知履歴画像５４ｂとを、前述のようにそれぞれ異なる向きに表示するようにしてもよい。また、本発明のさらに他の実施の形態では、たとえば着信日時の古い順に１件ずつ、番号通知履歴画像５４ａおよび番号非通知履歴画像５４ｂを表示するようにしてもよい。
【０１０９】
図１４は、予め定める画像データを表示用メモリ２２に記憶させるときの制御部１８の処理手順を示すフローチャートである。ステップｄ１では、制御部１８は、キー入力部１４によって予め定める画像、たとえば着信履歴一覧画像５４を表示部２４の表示画面に表示するための予め定める表示指令が与えられたか否かを判断する。ステップｄ１において、制御部１８が、予め定める表示指令が与えられたと判断したときは、ステップｄ２に進み、制御部１８が、予め定める表示指令が与えられていないと判断したときは、予め定める表示指令が与えられるまで待機する。
【０１１０】
ステップｄ２では、制御部１８は、データ用メモリ２１に記憶されている第４描画テーブルに基づいて、予め定める表示指令に従って表示部２４の表示画面に新たに表示されるべき画像、ここでは着信履歴一覧画像５４の番号通知履歴画像５４ａおよび番号非通知履歴画像５４ｂの描画の向きを決定する。
【０１１１】
ステップｄ３では、制御部１８は、予め定める表示指令に従って表示部２４の表示画面に新たに表示されるべき予め定める画像、ここでは着信履歴一覧画像５４を表す画像データを、表示用メモリ２２の第１メモリ領域に記憶させる。ステップｄ４では、制御部１８は、ステップｄ３で表示用メモリ２２の第１メモリ領域に記憶される予め定める画像データを、表示用メモリ２２の第２メモリ領域に記憶させる。
【０１１２】
ステップｄ５では、制御部１８は、表示部２４の表示画面に新たに表示されるべき予め定める画像、ここでは着信履歴一覧画像５４を表す画像データのすべてを表示用メモリ２２の第２メモリ領域に記憶させたか否かを判断する。ステップｄ５において、制御部１８が、新たに表示されるべき予め定める画像、ここでは着信履歴一覧画像５４を表す画像データのすべてを表示用メモリ２２の第２メモリ領域に記憶させたと判断したときは、すべての処理手順を終了する。またステップｄ５において、制御部１８が、新たに表示されるべき予め定める画像、ここでは着信履歴一覧画像５４を表す画像データのすべてを表示用メモリ２２の第２メモリ領域に記憶させていないと判断したときは、ステップｄ６に進む。
【０１１３】
ステップｄ６では、制御部１８は、所定時間、表示用メモリ２２の第１メモリ領域に記憶される予め定める画像データを、表示用メモリ２２の第２メモリ領域に記憶させる処理の進行を待機させるウエイト処理を行う。ウエイト処理における前述の処理の進行を待機させる所定時間は、キー入力部１４によって設定される変化速度、具体的には、予め定める表示指令に基づいて新たに表示されるべき画像が、変化開始位置から表示部２４の表示画面の表示領域全体に表示されるまでの変化速度に基づいて算出される。制御部１８は、計時部２７から取得する現在時刻を含む計時情報に基づいて、前記算出される所定時間が経過したか否かを判断する。制御部１８が、所定時間が経過したと判断した場合は、ステップｄ４に戻り、前述と同様の処理を繰り返し行う。
【０１１４】
このように、予め定める表示指令に基づいて新たに表示されるべき画像が、変化開始位置から表示部２４の表示画面の表示領域全体に表示されるまでの変化速度に基づいて、ウエイト処理が行われるので、たとえば使用者にとって新たに表示されるべき画像を把握し易い変化速度を設定することによって、使用者に対して、新たに表示されるべき画像をさらに確実に認識させることができ、使用者に対する利便性を確実に向上することができる。
【０１１５】
前述のように本実施の形態によれば、予め定める画像５３が表示部２４の表示画面に表示されている状態で、番号通知履歴画像５４ａおよび番号非通知履歴画像５４ｂを含む着信履歴一覧画像５４を表示させるための表示指令がキー入力部１４によって入力されると、第４描画テーブルに基づいて、番号通知履歴画像５４ａおよび番号非通知履歴画像５４ｂの描画の向きが決定され、予め定める時間にわたって、決定された描画の向きに、表示部２４の表示画面に表示されている画像から新たな画像、ここでは番号通知履歴画像５４ａおよび番号非通知履歴画像５４ｂを含む着信履歴一覧画像５４に表示状態が変化するように構成されるので、使用者によって、番号通知履歴画像５４ａおよび番号非通知履歴画像５４ｂが誤認識されることを防ぎ、使用者に対して、番号通知履歴画像５４ａおよび番号非通知履歴画像５４ｂのいずれであるかを迅速かつ確実に認識させることができる。換言すれば、使用者は、所定の表示領域の変化開始位置および方向を見るだけで、番号通知履歴画像５４ａおよび番号非通知履歴画像５４ｂのいずれであるのかを迅速かつ確実に把握することができる。これによって、使用者に対する利便性を向上することができる。
【０１１６】
図１５は、予め定める画像５３、日本語設定画像５５およびバイリンガル設定画像５６を示す図である。日本語設定画像５５およびバイリンガル設定画像５６は、所定の操作入力キーが操作されたときに表示部２４の表示画面に表示される。日本語設定画像５５は、予め定める操作入力キーに対応する機能の説明が日本語で表示される。バイリンガル設定画像５６は、予め定める操作入力キーに対応する機能の説明が、たとえば英語で表示される。
【０１１７】
表５は、データ用メモリ２１に記憶される第５描画テーブルの一例である。本実施の形態では、表示部２４の表示画面に表示されている予め定める画像５３から新たな画像に表示状態を変化させるとき、新たに表示されるべき画像の種類に応じて、新たに表示されるべき画像の描画の向きを決定する。描画の向きは、制御部１８が表５に示す第５描画テーブルを参照することによって決定する。
【０１１８】
【表５】
2005309254.tif 000007
【０１１９】
本実施の形態において、表５に示す第１方向一方から他方への向きは、たとえば図１５に示す矢符ｃ１の向き、つまり表示画面の短手方向Ｙ一方から他方への向きである。表５に示す第１方向他方から一方への向きは、たとえば図１５に示す矢符ｃ２の向き、つまり表示画面の短手方向Ｙ他方から一方への向きである。
【０１２０】
本実施の形態において、予め定める画像５３が表示部２４の表示画面に表示されている状態で、日本語設定画像５５を新たに表示する場合は、まず表５に示す第５描画テーブルに基づいて、日本語設定画像５５の描画の向きが決定される。本実施の形態において、日本語設定画像５５の描画の向きは、第５描画テーブルに基づいて、第１方向他方から一方への向き、たとえば図１５に示す矢符ｃ２の向き、詳細に述べると、表示画面の短手方向Ｙ他方から一方への向きに決定される。
【０１２１】
新たに表示されるべき日本語設定画像５５の描画の向きが決定されると、まず予め定める時間にわたって、たとえば表示画面の短手方向Ｙ他端部から、第１方向他方から一方への向き、本実施の形態では図１５に示す矢符ｃ２の向きに、表示画面に表示されている予め定める画像５３から日本語設定画像５５に表示状態が変化して、最終的に日本語設定画像５５が表示部２４の表示画面の所定の表示領域全体に表示される。
【０１２２】
また、予め定める画像５３が表示部２４の表示画面に表示されている状態で、バイリンガル設定画像５６を新たに表示する場合は、まず表５に示す第５描画テーブルに基づいて、バイリンガル設定画像５６の描画の向きが決定される。本実施の形態において、バイリンガル設定画像５６の描画の向きは、第５描画テーブルに基づいて、第１方向一方から他方への向き、たとえば図１５に示す矢符ｃ１の向き、詳細に述べると、表示画面の短手方向Ｙ一方から他方への向きに決定される。
【０１２３】
新たに表示されるべきバイリンガル設定画像５６の描画の向きが決定されると、まず予め定める時間にわたって、たとえば表示画面の短手方向Ｙ一端部から、第１方向一方から他方への向き、本実施の形態では図１５に示す矢符ｃ１の向きに、表示画面に表示されている予め定める画像５３からバイリンガル設定画像５６に表示状態が変化して、最終的にバイリンガル設定画像５６が表示部２４の表示画面の所定の表示領域全体に表示される。
【０１２４】
図１６は、予め定める画像データを表示用メモリ２２に記憶させるときの制御部１８の処理手順を示すフローチャートである。ステップｅ１では、制御部１８は、キー入力部１４によって予め定める画像、たとえば日本語設定画像５５およびバイリンガル設定画像５６を表示部２４の表示画面に表示するための予め定める表示指令が与えられたか否かを判断する。ステップｅ１において、制御部１８が、予め定める表示指令が与えられたと判断したときは、ステップｅ２に進み、制御部１８が、予め定める表示指令が与えられていないと判断したときは、予め定める表示指令が与えられるまで待機する。
【０１２５】
ステップｅ２では、制御部１８は、データ用メモリ２１に記憶されている第５描画テーブルに基づいて、予め定める表示指令に従って表示部２４の表示画面に新たに表示されるべき画像、ここでは日本語設定画像５５およびバイリンガル設定画像５６の描画の向きを決定する。
【０１２６】
ステップｅ３では、制御部１８は、予め定める表示指令に従って表示部２４の表示画面に新たに表示されるべき予め定める画像を表す画像データを、表示用メモリ２２の第１メモリ領域に記憶させる。ステップｅ４では、制御部１８は、ステップｅ３で表示用メモリ２２の第１メモリ領域に記憶される予め定める画像データを、表示用メモリ２２の第２メモリ領域に記憶させる。
【０１２７】
ステップｅ５では、制御部１８は、表示部２４の表示画面に新たに表示されるべき予め定める画像を表す画像データのすべてを表示用メモリ２２の第２メモリ領域に記憶させたか否かを判断する。ステップｅ５において、制御部１８が、新たに表示されるべき予め定める画像を表す画像データのすべてを表示用メモリ２２の第２メモリ領域に記憶させたと判断したときは、すべての処理手順を終了する。またステップｅ５において、制御部１８が、新たに表示されるべき予め定める画像を表す画像データのすべてを表示用メモリ２２の第２メモリ領域に記憶させていないと判断したときは、ステップｅ６に進む。
【０１２８】
ステップｅ６では、制御部１８は、所定時間、表示用メモリ２２の第１メモリ領域に記憶される予め定める画像データを、表示用メモリ２２の第２メモリ領域に記憶させる処理の進行を待機させるウエイト処理を行う。ウエイト処理における前述の処理の進行を待機させる所定時間は、キー入力部１４によって設定される変化速度、具体的には、予め定める表示指令に基づいて新たに表示されるべき画像が、変化開始位置から表示部２４の表示画面の表示領域全体に表示されるまでの変化速度に基づいて算出される。制御部１８は、計時部２７から取得する現在時刻を含む計時情報に基づいて、前記算出される所定時間が経過したか否かを判断する。制御部１８が、所定時間が経過したと判断した場合は、ステップｅ４に戻り、前述と同様の処理を繰り返し行う。
【０１２９】
このように、予め定める表示指令に基づいて新たに表示されるべき画像が、変化開始位置から表示部２４の表示画面の表示領域全体に表示されるまでの変化速度に基づいて、ウエイト処理が行われるので、たとえば使用者にとって新たに表示されるべき画像を把握し易い変化速度を設定することによって、使用者に対して、新たに表示されるべき画像をさらに確実に認識させることができ、使用者に対する利便性を確実に向上することができる。
【０１３０】
前述のように本実施の形態によれば、予め定める画像５３が表示部２４の表示画面に表示されている状態で、日本語設定画像５５およびバイリンガル設定画像５６を表示させるための表示指令がキー入力部１４によって入力されると、第５描画テーブルに基づいて、日本語設定画像５５およびバイリンガル設定画像５６の描画の向きが決定され、予め定める時間にわたって、決定された描画の向きに、表示部２４の表示画面に表示されている予め定める画像５３から新たな画像、ここでは日本語設定画像５５およびバイリンガル設定画像５６に表示状態が変化するように構成されるので、使用者によって、日本語設定画像５５およびバイリンガル設定画像５６が誤認識されることを防ぎ、使用者に対して、日本語設定画像５５およびバイリンガル設定画像５６のいずれであるかを迅速かつ確実に認識させることができる。換言すれば、使用者は、所定の表示領域の変化開始位置および方向を見るだけで、日本語設定およびバイリンガル設定のいずれに設定されているのかを迅速かつ確実に把握することができる。これによって、使用者に対する利便性を向上することができる。
【０１３１】
また、前述の実施の形態では、制御部１８は、表示部２４の表示画面の表示領域のうち、所定の表示領域に表示されている画像から新たな画像に表示状態が変化するように表示部２４などによって構成される表示手段を制御するだけでよいので、表示画面全体に表示されている画像から新たな画像に表示状態が変化するように表示部２４などによって構成される表示手段を制御する場合に比べて、時間的に画像の表示を変化させるときの画像処理における画像データのデータ処理量を減少させることができる。
【０１３２】
前述の実施の形態は、本発明の例示に過ぎず、本発明の範囲内において発明の構成を変更してもよい。たとえば、前述の実施の形態では、表示部２４の表示画面に表示されている画像から新たな画像に表示状態を変化させるときの変化開始位置および方向を、それぞれ表示画面の長手方向Ｘ一端部かつ短手方向Ｙ一端部から、表示画面の一方の対角線方向一方から他方への向き、表示画面の短手方向Ｙ一端部から、表示画面の短手方向Ｙ一方から他方への向き、表示画面の長手方向Ｘ他端部かつ短手方向Ｙ一端部から、表示画面の他方の対角線方向一方から他方への向き、表示画面の長手方向Ｘ一端部かつ短手方向Ｙ他端部から、表示画面の他方の対角線方向他方から一方への向き、表示画面の短手方向Ｙ他端部から、表示画面の短手方向Ｙ他方から一方への向き、および表示画面の長手方向他端部かつ短手方向Ｙ他端部から、表示画面の一方の対角線方向他方から一方への向きにしているが、本発明の他の実施の形態では、前記変化開始位置および方向を、表示画面の長手方向Ｘ一端部から、表示画面の長手方向Ｘ一方から他方への向き、および表示画面の長手方向Ｘ他端部から、表示画面の長手方向Ｘ他方から一方への向きにしてもよい。
【０１３３】
また、前述の実施の形態では、表示部２４の表示画面に表示されている画像から新たな画像に表示状態を変化させるときの変化開始位置が１箇所であるが、本発明の他の実施の形態では、前記変化開始位置を複数箇所としてもよい。たとえば、変化開始位置を、表示画面の長手方向Ｘ一端部かつ短手方向Ｙ一端部と、表示画面の長手方向Ｘ他端部かつ短手方向Ｙ他端部との２箇所とし、これらの変化開始位置から、それぞれ表示画面の一方の対角線方向一方から他方への向き、および表示画面の一方の対角線方向他方から一方への向きに、同時に表示部２４の表示画面に表示されている画像から新たな画像に表示状態を変化させてもよい。
【０１３４】
また、変化開始位置を、表示画面の長手方向Ｘ一端部かつ短手方向Ｙ一端部、表示画面の長手方向Ｘ他端部かつ短手方向Ｙ一端部、表示画面の長手方向Ｘ一端部かつ短手方向他端部、および表示画面の長手方向Ｘ他端部かつ短手方向Ｙ他端部の４箇所とし、これらの変化開始位置から、それぞれ表示画面の一方の対角線方向一方から他方への向き、表示画面の他方の対角線方向一方から他方への向き、表示画面の他方の対角線方向他方から一方への向き、および表示画面の一方の対角線方向他方から一方への向きに、同時に表示部２４の表示画面に表示されている画像から新たな画像に表示状態を変化させてもよい。
【０１３５】
さらに、表示画面の長手方向Ｘ中央部かつ短手方向Ｙ中央部から、表示画面の一方の対角線方向他方から一方への向き、表示画面の他方の対角線方向他方から一方への向き、表示画面の他方の対角線方向一方から他方への向き、および表示画面の一方の対角線方向一方から他方への向きに、それぞれ同時に表示部２４の表示画面に表示されている画像から新たな画像に表示状態を変化させてもよい。
【０１３６】
また、前述の実施の形態では、情報処理装置１としてカメラ付携帯電話機に適用した場合の構成について述べたが、本発明の他の実施の形態では、カメラ付携帯電話機に限らず、たとえば情報処理装置１として携帯情報端末（略称：ＰＤＡ）に適用した場合でも、好適に実施することができる。
【図面の簡単な説明】
【０１３７】
【図１】本発明の実施の一形態である情報処理装置１の構成を示すブロック図である。
【図２】情報処理装置１の外観を示す正面図である。
【図３】表示部２４の表示画面に新たな画像を描画するときの描画の向きを説明するための図である。
【図４】待ち受け画像４１およびメールメニュー画像４２を示す図である。
【図５】待ち受け画像４１からメールメニュー画像４２に表示状態が変化する過程における表示部２４に表示される画像の一例を示す図である。
【図６】待ち受け画像４１およびインターネット接続メニュー５１を示す図である。
【図７】待ち受け画像４１からインターネット接続メニュー５１に表示状態が変化する過程における表示部２４に表示される画像の一例を示す図である。
【図８】予め定める画像データを表示用メモリ２２に記憶させるときの制御部１８の処理手順を示すフローチャートである。
【図９】メールメニュー画像４２および通話着信画像５２を示す図である。
【図１０】予め定める画像データを表示用メモリ２２に記憶させるときの制御部１８の処理手順を示すフローチャートである。
【図１１】メールメニュー画像４２および通話着信画像５２を示す図である。
【図１２】予め定める画像データを表示用メモリ２２に記憶させるときの制御部１８の処理手順を示すフローチャートである。
【図１３】予め定める画像５３および着信履歴一覧画像５４を示す図である。
【図１４】予め定める画像データを表示用メモリ２２に記憶させるときの制御部１８の処理手順を示すフローチャートである。
【図１５】予め定める画像５３、日本語設定画像５５およびバイリンガル設定画像５６を示す図である。
【図１６】予め定める画像データを表示用メモリ２２に記憶させるときの制御部１８の処理手順を示すフローチャートである。
【符号の説明】
【０１３８】
１  情報処理装置
１１  アンテナ
１２  無線部
１３  通信制御部
１４  キー入力部
１５  キー照明部
１６  音声入力部
１７  音声出力部
１８  制御部
１９  プログラム用メモリ
２０  作業用メモリ
２１  データ用メモリ
２２  表示用メモリ
２３  表示ドライバ部
２４  表示部
２５  撮像部
２６  照明部
２７  計時部
２８  開閉検出部
【図１】
2005309254.tif 000008
【図２】
2005309254.tif 000009
【図３】
2005309254.tif 000010
【図４】
2005309254.tif 000011
【図５】
2005309254.tif 000012
【図６】
2005309254.tif 000013
【図７】
2005309254.tif 000014
【図８】
2005309254.tif 000015
【図９】
2005309254.tif 000016
【図１０】
2005309254.tif 000017
【図１１】
2005309254.tif 000018
【図１２】
2005309254.tif 000019
【図１３】
2005309254.tif 000020
【図１４】
2005309254.tif 000021
【図１５】
2005309254.tif 000022
【図１６】
2005309254.tif 000023